(57)【要約】【課題】  ドーム部の開口縁部の剛性を高くし、各被覆片の係合を外れにくくできるようにして、ドーム部の形状を確実に保持できるようにし、使いやすさの向上を図る。【解決手段】  天井部４を中心に放射状に設けられた複数の被覆片５を備え、隣接する被覆片５同士を連結して頭部を被覆するドーム部を形成可能な可撓性シート状に形成され、各被覆片５の外周縁に、ドーム部の形成時にドーム部に対して折曲保持される連結片１０を折曲可能に連設し、隣接する被覆片５の連結片１０同士のうちいずれか一方の連結片１０に係合部２０を形成し、隣接する被覆片５の連結片１０同士のうちいずれか他方の連結片に係合部２０に係合する被係合部２１を形成した。【選択図】  図１
0003114437.tif 000002
【実用新案登録請求の範囲】
【請求項１】
天井部を中心に放射状に設けられた複数の被覆片を備え、隣接する被覆片同士を連結して頭部を被覆するドーム部を形成可能な可撓性シート状の組立て帽子において、
上記各被覆片の外周縁に、上記ドーム部の形成時に該ドーム部に対して折曲保持される連結片を折曲可能に連設し、上記隣接する被覆片の連結片同士のうちいずれか一方の連結片に係合部を形成し、上記隣接する被覆片の連結片同士のうちいずれか他方の連結片に上記係合部に係合する被係合部を形成したことを特徴とする組立て帽子。
【請求項２】
上記各連結片の上記隣接する被覆片側に互いに重なり合う重複部を形成し、該重なり合う重複部のうちいずれか一方の重複部に係合部を形成し、上記重なり合う重複部のうちいずれか他方の重複部に被係合部を形成したことを特徴とする請求項１記載の組立て帽子。
【請求項３】
上記重複部を、上記ドーム部の開口の周方向に沿って当該隣接する被覆片側に突出形成した部分を含んで構成したことを特徴とする請求項２記載の組立て帽子。
【請求項４】
上記重なり合う重複部の上記係合部及び被係合部の少なくともいずれか一方を、上記ドーム部の開口の周方向に沿って所定間隔で複数設け、該複数設けた係合部若しくは被係合部の選択により上記ドーム部の開口の周長を調節可能にしたことを特徴とする請求項２または３記載の組立て帽子。
【請求項５】
上記係合部及び被係合部のいずれか一方を、上記天井部側の内側から切り込まれた内向き溝で構成し、上記係合部及び被係合部のいずれか他方を、上記連結片の外側から切り込まれた外向き溝で構成したことを特徴とする請求項２乃至４いずれかに記載の組立て帽子。
【請求項６】
上記内向き溝及び外向き溝の終端に、溝幅よりも径の大きい丸穴を形成したことを特徴とする請求項５記載の組立て帽子。
【請求項７】
上記各被覆片の全部若しくは一部において、上記連結片を上記ドーム部の開口の周方向に沿って一対並設したことを特徴とする請求項１乃至６いずれかに記載の組立て帽子。
【請求項８】
上記被覆片と連結片との連設部に、上記ドーム部の開口の周方向に沿う切込み線を、１つ若しくは複数形成したことを特徴とする請求項１乃至７いずれかに記載の組立て帽子。
【請求項９】
上記各被覆片の側縁の形状を、該各被覆片を連結してドーム部を形成した際、該被覆片の側縁同士が可及的に隙間なく接合し且つ該接合した接合線がドーム部の外側に膨らんで形成される外側に凸の弧に形成したことを特徴とする請求項１乃至８いずれかに記載の組立て帽子。
【請求項１０】
上記連結片を、該連結片が連結された状態で上記ドーム部の開口縁部の内側に沿って折曲保持可能な形状に形成したことを特徴とする請求項１乃至９いずれかに記載の組立て帽子。
【請求項１１】
上記連結片の少なくとも１つを、上記ドーム部の外側に突出して舌片状の庇を構成する形状に形成したことを特徴とする請求項１０記載の組立て帽子。
【請求項１２】
上記連結片の全部を、該連結片が連結された状態で上記ドーム部の開口縁部の外側に突出してリング状の庇を構成する形状に形成したことを特徴とする請求項１乃至９いずれかに記載の組立て帽子。
【請求項１３】
組立ての際、表面及び裏面のうちいずれか一方を選択して外側に露出可能になるように、表面及び裏面に互いに異なる模様及び／又は色彩を付したことを特徴とする請求項１乃至１２いずれかに記載の組立て帽子。
【考案の詳細な説明】
【技術分野】
【０００１】
本考案は、紙やプラスチック等の可撓性シート材料で形成され、商品として販売用あるいは景品やイベントなどの用に供される組立て帽子に係り、特に、天井部を中心に放射状に設けられた複数の被覆片を連結して頭部を被覆するドーム部を形成可能な組立て帽子に関する。
【背景技術】
【０００２】
従来、この種の組立て帽子としては、例えば、特許文献１（特開平６−１２３００３号公報）に掲載された所謂野球帽に組立てられるものが知られている。
この組立て帽子は、図１２及び図１３に示すように、可撓性シート状の紙材料で形成され、天井部１００を中心に放射状に設けられた４つの被覆片１０１を備え、隣接する被覆片１０１同士を連結して頭部を被覆するドーム部１０２を形成可能にしている。この組立て帽子においては、ドーム部１０２の前側の被覆片１０１（A）及び後側の被覆片１０１（B）に、ドーム部１０２の開口１０３の周方向に沿って隣接する被覆片１０１（C）側に帯状に突出させた突出片１０４を設け、この突出片１０４に、外側から切り込まれドーム部１０２の開口１０３の周方向に沿って所定間隔で複数設けられる溝１０５を形成し、一方、ドーム部１０２の両側の被覆片１０１（C）に、夫々、上記溝１０５が差し込まれて係合する切込み部１０６を形成している。また、前側の被覆片１０１（A）には、ドーム部の外側に突出する舌片状の庇（ひさし）１０７が折曲可能に設けられている。
【０００３】
そして、この組立て帽子を組立てるときは、図１３に示すように、前側の被覆片１０１（A）及び後側の被覆片１０１（B）の突出片１０４を隣接する両側の被覆片１０１（C）に重ねるとともに、突出片１０４に設けた溝１０５のいずれかを両側の被覆片１０１（C）の切込み部１０６に差し込んで係合し、ドーム部１０２を形成する。この場合、頭部の大きさに合わせて、溝１０５の位置を選択してドーム部１０２の開口１０３の周長を調節することができる。また、庇１０７を折り曲げてドーム部１０２の外側に突出させる。これにより野球帽ができあがる。
【０００４】
【特許文献１】特開平６−１２３００３号公報
【考案の開示】
【考案が解決しようとする課題】
【０００５】
ところで、上記の従来の組立て帽子にあっては、組立てられたドーム部１０２において、突出片１０４に設けた溝１０５が被覆片１０１（C）の切込み部１０６に差し込まれ、被覆片１０１の外周縁がそのままドーム部１０２の開口縁部を構成するので、この開口縁部の剛性が低く、へこみ易くなってドーム部１０２の形状保持に劣っているという問題があった。また、剛性が低い分、溝１０５が切込み部１０６から外れやすく保持が不十分になって、使いにくくなるという問題もあった。
【０００６】
本考案は上記の問題点に鑑みて為されたもので、ドーム部の開口縁部の剛性を高くし、各被覆片の係合を外れにくくできるようにして、ドーム部の形状を確実に保持できるようにし、使いやすさの向上を図った組立て帽子を提供することを目的とする。
【課題を解決するための手段】
【０００７】
このような目的を達成するため本考案の組立て帽子は、天井部を中心に放射状に設けられた複数の被覆片を備え、隣接する被覆片同士を連結して頭部を被覆するドーム部を形成可能な可撓性シート状の組立て帽子において、
上記各被覆片の外周縁に、上記ドーム部の形成時に該ドーム部に対して折曲保持される連結片を折曲可能に連設し、上記隣接する被覆片の連結片同士のうちいずれか一方の連結片に係合部を形成し、上記隣接する被覆片の連結片同士のうちいずれか他方の連結片に上記係合部に係合する被係合部を形成した構成としている。
【０００８】
これにより、この組立て帽子を組立てるときは、各連結片に設けた係合部と被係合部とを係合し、これらの連結した連結片を内側若しくは外側に折曲保持する。このようにして、帽子が組立てられてできあがる。この状態では、各被覆片には、平面状に戻ろうとする力が作用するので、その復元力によりドーム部の形状が保持される。この場合、各連結片はドーム部に対して折曲保持されているので、それだけ、ドーム開口の剛性が高くなっており、へこみにくく、ドーム部の形状が確実に保持される。また、剛性が高くなるので、係合部及び被係合部が外れにくくなり、この点でも、ドーム部の形状が確実に保持される。その結果、帽子を被ったり脱いだりする際の操作性が良くなり、使いやすさが向上させられる。
【０００９】
そして、必要に応じ、上記各連結片の上記隣接する被覆片側に互いに重なり合う重複部を形成し、該重なり合う重複部のうちいずれか一方の重複部に係合部を形成し、上記重なり合う重複部のうちいずれか他方の重複部に被係合部を形成した構成としている。重複部を重複させて係合させれば連結できるので、連結が容易に行われる。
この場合、上記重複部を、上記ドーム部の開口の周方向に沿って当該隣接する被覆片側に突出形成した部分を含んで構成したことが有効である。突出させた部位に係合部若しくは被係合部を設け易くなるので、係合部若しくは被係合部の形成が容易になる。
【００１０】
また、必要に応じ、上記重なり合う重複部の上記係合部及び被係合部の少なくともいずれか一方を、上記ドーム部の開口の周方向に沿って所定間隔で複数設け、該複数設けた係合部若しくは被係合部の選択により上記ドーム部の開口の周長を調節可能にした構成としている。各連結片において、複数ある被係合部を選択し、ドーム部の開口の周長を調節することができ、そのため、頭部の大きさに合わせて、ドーム部の開口を定めることができる。
【００１１】
更に、必要に応じ、上記係合部及び被係合部のいずれか一方を、上記天井部側の内側から切り込まれた内向き溝で構成し、上記係合部及び被係合部のいずれか他方を、上記連結片の外側から切り込まれた外向き溝で構成している。溝同士の係合なので、係合が強固で確実になり、容易に外れる事態が防止される。
この場合、上記内向き溝及び外向き溝の終端に、溝幅よりも径の大きい丸穴を形成したことが有効である。内向き溝及び外向き溝が係合した状態では、これらの内向き溝及び外向き溝の終端に形成された丸穴同士が係合するので、この終端部に遊びができ、そのため、無理な力が作用しないことから、係合が円滑に行なわれるとともに係合保持が確実に行なわれ係合が安定化させられる。
【００１２】
また、必要に応じ、上記各被覆片の全部若しくは一部において、上記連結片を上記ドーム部の開口の周方向に沿って一対並設した構成としている。係合して連結した連結片を内側若しくは外側に折曲する際、連結片が一対並設されている部位では、それだけ連結片が小さくなっているので、折り曲げ易く、組立て効率が向上させられる。
【００１３】
更に、必要に応じ、上記被覆片と連結片との連設部に、上記ドーム部の開口の周方向に沿う切込み線を、１つ若しくは複数形成した構成としている。係合して連結した連結片を内側若しくは外側に折曲する際、ドーム部の開口の周方向に沿う切込み線が形成されているので、それだけ、折り曲げ易く、組立て効率が向上させられる。
【００１４】
更にまた、必要に応じ、上記各被覆片の側縁の形状を、該各被覆片を連結してドーム部を形成した際、該被覆片の側縁同士が可及的に隙間なく接合し且つ該接合した接合線がドーム部の外側に膨らんで形成される外側に凸の弧に形成した構成としている。連続性があるとともに、接合線がアクセントとなり、外管品質が極めて良いものになる。
【００１５】
また、必要に応じ、上記連結片を、該連結片が連結された状態で上記ドーム部の開口縁部の内側に沿って折曲保持可能な形状に形成した構成としている。各連結片はドーム部の開口縁部の内側に沿って折曲保持されることから、それだけ、ドーム開口の剛性が高くなっており、へこみにくく、ドーム部の形状が確実に保持される。また、剛性が高くなり、また、各連結片は内側に折り曲げられて係合部及び被係合部が隠されるので、係合部及び被係合部が外れにくくなり、この点でも、ドーム部の形状が確実に保持される。
この場合、上記連結片の少なくとも１つを、上記ドーム部の外側に突出して舌片状の庇を構成する形状に形成したことが有効である。剛性の高い所謂野球帽に組立てることができる。
【００１６】
更に、必要に応じ、上記連結片の全部を、該連結片が連結された状態で上記ドーム部の開口縁部の外側に突出してリング状の庇を構成する形状に形成した構成としている。各連結片はドーム部の開口縁部の外側に折曲保持されることから、それだけ、ドーム開口の剛性が高くなっており、へこみにくく、ドーム部の形状が確実に保持される。また、剛性が高くなるので、係合部及び被係合部が外れにくくなり、この点でも、ドーム部の形状が確実に保持される。また、剛性の高い所謂山高帽に組立てることができる。
【００１７】
また、必要に応じ、  組立ての際、表面及び裏面のうちいずれか一方を選択して外側に露出可能になるように、表面及び裏面に互いに異なる模様及び／又は色彩を付した構成としている。これにより、組立て方によって両面使え、即ち、リバーシブルで利用できる。例えば、表面にはサッカー日本代表の絵柄、裏面にはブラジル代表の絵柄を印刷して、サッカー会場で配布すれば、サポーターは自分の応援する側を外側にして組立てて使うことができるようになる。
即ち、１つの帽子を２種類の態様で使用できるので、汎用性を増加することができる。
【考案の効果】
【００１８】
本考案の組立て帽子によれば、組立てられた帽子においては、各連結片はドーム部に対して折曲保持されるので、それだけ、ドーム開口の剛性を高くすることができ、へこみにくく、ドーム部の形状を確実に保持することができる。また、剛性が高くなるので、係合部及び被係合部が外れにくくなり、この点でも、ドーム部の形状を確実に保持することができるようになる。その結果、帽子を被ったり脱いだりする際の操作性が良くなり、使いやすさを大幅に向上させることができる。また、耐久性も向上させることができる等、種々の効果を奏する。
【考案を実施するための最良の形態】
【００１９】
以下、添付図面に基づいて本考案の実施の形態に係る組立て帽子について詳細に説明する。
図１乃至図６には、本考案の第一の実施の形態に係る組立て帽子を示している。この帽子は、紙やプラスチック等の可撓性シート材料で形成され、図４乃至図６に示すように、頭部を覆おうドーム部１の開口２の一部から外側に突出した舌片状の庇（ひさし）３を有した所謂野球帽に組立てられるものである。
【００２０】
詳しくは、本考案の第一の実施の形態に係る組立て帽子は、天井部４を中心に放射状に設けられた複数（実施の形態では６つ）の形状を同じにする被覆片５を備え、隣接する被覆片５同士を連結して頭部を被覆するドーム部１を形成可能な可撓性シート状に形成されている。
各被覆片５の側縁６の形状は、各被覆片５を連結してドーム部１を形成した際、被覆片５の側縁６同士が可及的に隙間なく接合し且つ接合した接合線７（図６）がドーム部１の外側に膨らんで形成される外側に凸の弧に形成されている。
【００２１】
各被覆片５の外周縁には、ドーム部１の形成時に、ドーム部１に対して折曲保持される連結片１０が折曲可能に連設されている。各被覆片５の全部若しくは一部において、連結片１０は、ドーム部１の開口２の周方向に沿って一対並設されている。実施の形態においては、前側を構成する１つの被覆片５（A）には、１つの連結片１０（X）が設けられ、他の５つの被覆片５には、夫々、一対の連結片１０が並設されている。
【００２２】
上記の１つの連結片１０（X）と、これに連結される左右の２つの連結片１０（Y）は、ドーム部１の外側に突出して舌片状の庇（ひさし）３を構成する形状に形成されている。即ち、１つの連結片１０（X）は、略半円盤状に形成されて庇３の主要部を構成し、左右の２つの連結片１０（Y）は庇３の基端部を構成する。
また、この１つの連結片１０（X）と、これに連結される左右の２つの連結片１０（Y）以外の、その他の連結片１０は、連結片１０が連結された状態で、ドーム部１の開口２縁部の内側に沿って折曲保持可能（図５）な帯状形状に形成されている。
【００２３】
更に、被覆片５と連結片１０との連設部１１には、ドーム部１の開口２の周方向に沿う切込み線１２が、１つ若しくは複数形成されている。実施の形態では、連結片１０には、１つの切込み線１２が設けられている。
【００２４】
更にまた、隣接する被覆片５の連結片１０同士のうちいずれか一方の連結片１０に係合部２０が形成され、隣接する被覆片５の連結片１０同士のうちいずれか他方の連結片１０に係合部２０に係合する被係合部２１が形成されている。詳しくは、実施の形態においては、各連結片１０の隣接する被覆片５側に互いに重なり合う重複部２２が形成されている。この重複部２２は、ドーム部１の開口２の周方向に沿って隣接する被覆片５側に突出形成されている部分を含んで構成されている。そして、この重なり合う重複部２２のうちいずれか一方の重複部２２に係合部２０が形成され、重なり合う重複部２２のうちいずれか他方の重複部２２に被係合部２１が形成されている。
【００２５】
また、上記の庇３の基端部を構成する２つの連結片１０（Y）において、庇３の主要部を構成する連結片１０に重複する重複部２２（ａ）は、内側に尖った角状に形成されて、面積が大きくなっており、主要部を構成する連結片１０を支持して主要部を補強可能に形成されている。
【００２６】
係合部２０及び被係合部２１のいずれか一方（実施の形態では係合部２０）は、天井部側の内側から切り込まれた内向き溝２４で構成されている。また、係合部２０及び被係合部２１のいずれか他方（実施の形態では被係合部２１）は、連結片１０の外側から切り込まれた外向き溝２５で構成されている。図２に示すように、これらの内向き溝２４及び外向き溝２５の終端には、溝幅よりも径の大きい丸穴２６が形成されている。
【００２７】
また、重なり合う重複部２２の上記係合部２０及び被係合部２１の少なくともいずれか一方（実施の形態では被係合部２１としての外向き溝２５）は、ドーム部１の開口２の周方向に沿って所定間隔で複数（実施の形態では３つ）設けられ、この複数設けた係合部２０若しくは被係合部２１（実施の形態では被係合部２１としての外向き溝２５）の選択によりドーム部１の開口２の周長を調節可能にしている。
【００２８】
従って、この実施の形態に係る組立て帽子を組立てるときは、以下のようにして行なう。
図３に示すように、各連結片１０の重複部２２同士を重ねるとともに、重複部２２に設けた係合部２０（内向き溝２４）と被係合部２１（外向き溝２５）とを係合する。この場合、重複部２２を重複させて係合させれば連結できるので、連結が容易に行われる。また、各連結片１０において、複数ある被係合部２１を選択し、ドーム部１の開口２の周長を調節する。そのため、頭部の大きさに合わせて、ドーム部１の開口２を定めることができる。また、この場合、係合部２０（内向き溝２４）及び被係合部２１（外向き溝２５）が係合した状態では、溝同士の係合なので、係合が強固で確実になり、容易に外れる事態が防止される。更に、これらの内向き溝２４及び外向き溝２５の終端に形成された丸穴２６同士が係合するので、この終端部に遊びができ、そのため、無理な力が作用しないことから、係合が円滑に行なわれるとともに係合保持が確実に行なわれ係合が安定化させられる。
【００２９】
各連結片１０を係合して連結したならば、庇３の主要部を構成する連結片１０と基端部を構成する左右の２つの連結片１０（Y）を外側に折曲する。また、庇３の主要部を構成する連結片１０と基端部を構成する左右の２つの連結片１０（Y）以外の、その他の連結片１０においては、連結片１０が連結された状態で、ドーム部１の開口２縁部の内側に沿って折曲する。尚、この折曲は上記の連結片１０の係合と同時に行なうようにしても良い。この場合、被覆片５と連結片１０との連設部１１には、ドーム部１の開口２の周方向に沿う切込み線１２が形成されているので、それだけ、折り曲げ易く、組立て効率が向上させられる。また、連結片１０が一対並設されている部位では、それだけ連結片１０が小さくなっているので、折り曲げ易く、この点でも、組立て効率が向上させられる。
【００３０】
このようにして、図６に示すように、野球帽が組立てられてできあがる。この状態では、各被覆片５には、その弾性により平面状に戻ろうとする力が作用するので、その復元力によりドーム部１の形状が保持される。この場合、各連結片１０はドーム部１に対して折曲保持されているので、特に、図５に示すように、ドーム部１の開口２縁部の内側に沿って帯状の連結片１０が折曲保持されることから、それだけ、ドーム開口２の剛性が高くなっており、へこみにくく、ドーム部１の形状が確実に保持される。また、剛性が高くなり、また、各連結片１０は内側に折り曲げられて係合部２０及び被係合部２１が隠されるので、係合部２０及び被係合部２１が外れにくくなり、この点でも、ドーム部１の形状が確実に保持される。その結果、帽子を被ったり脱いだりする際の操作性が良くなり、使いやすさが向上させられる。
【００３１】
更に、ドーム部１においては、図６に示すように、各被覆片５の側縁６の形状が外側に凸の弧に形成されており、各被覆片５を連結してドーム部１を形成した際、被覆片５の側縁６同士が可及的に隙間なく接合し且つ接合した接合線がドーム部１の外側に膨らんで形成されるようになるので、そのため、連続性があるとともに、接合線７がアクセントとなり、外管品質が極めて良いものになる。
【００３２】
次に、本考案の第二の実施の形態に係る組立て帽子について説明する。図７及び図１１に示すように、この帽子は、紙やプラスチック等の可撓性シート材料で形成され、図９乃至図１１に示すように、頭部を覆おうドーム部１の開口２縁部の外側にリング状の庇（ひさし）３を突出させた所謂山高帽に組立てられるものである。
【００３３】
詳しくは、本考案の第二の実施の形態に係る組立て帽子は、天井部４を中心に放射状に設けられた複数（実施の形態では６つ）の形状を同じにする被覆片５を備え、隣接する被覆片５同士を連結して頭部を被覆するドーム部１を形成可能な可撓性シート状に形成されている。
各被覆片５の側縁６の形状は、各被覆片５を連結してドーム部１を形成した際、被覆片５の側縁６同士が可及的に隙間なく接合し且つ接合した接合線７（図１１）がドーム部１の外側に膨らんで形成される外側に凸の弧に形成されている。
【００３４】
また、各被覆片５の外周縁には、ドーム部１の形成時に、ドーム部１に対して折曲保持される１つの連結片１０が折曲可能に連設されている。そして、連結片１０の全部は、連結片１０が連結された状態で、ドーム部１の開口２縁部の外側に突出して折曲保持され、リング状の庇３を構成するように、内周及び外周が円弧状に形成されている。被覆片５と連結片１０との連設部１１には、ドーム部１の開口２の周方向に沿う切込み線１２が、１つ若しくは複数形成されている。実施の形態では２つの切込み線１２が設けられている。
【００３５】
更にまた、隣接する被覆片５の連結片１０同士のうちいずれか一方の連結片１０に係合部２０が形成され、隣接する被覆片５の連結片１０同士のうちいずれか他方の連結片１０に係合部２０に係合する被係合部２１が形成されている。詳しくは、実施の形態においては、各連結片１０の隣接する被覆片５側に互いに重なり合う重複部２２が形成されている。この重複部２２は、ドーム部１の開口２の周方向に沿って隣接する被覆片５側に突出形成された部分を含んで構成されている。そして、この重なり合う重複部２２のうちいずれか一方の重複部２２に係合部２０が形成され、重なり合う重複部２２のうちいずれか他方の重複部２２に被係合部２１が形成されている。
【００３６】
係合部２０及び被係合部２１のいずれか一方（実施の形態では係合部２０）は、天井部４側の内側から切り込まれた内向き溝２４で構成されている。また、係合部２０及び被係合部２１のいずれか他方（実施の形態では被係合部２１）は、連結片１０の外側から切り込まれた外向き溝２５で構成されている。これらの内向き溝２４及び外向き溝２５の終端には、溝幅よりも径の大きい丸穴２６が形成されている。
【００３７】
従って、この実施の形態に係る組立て帽子を組立てるときは、以下のようにして行なう。
図９に示すように、各連結片１０の重複部２２同士を重ねるとともに、重複部２２に設けた係合部２０（内向き溝２４）と被係合部２１（外向き溝２５）とを係合する。この場合、係合部２０（内向き溝２４）及び被係合部２１（外向き溝２５）が係合した状態では、溝同士の係合なので、係合が強固で確実になり、容易に外れる事態が防止される。更に、これらの内向き溝２４及び外向き溝２５の終端に形成された丸穴２６同士が係合するので、この終端部に遊びができ、そのため、無理な力が作用しないことから、係合が円滑に行なわれるとともに係合保持が確実に行なわれ係合が安定化させられる。
【００３８】
各連結片１０を係合して連結したならば、連結片１０を外側に折曲する。尚、この折曲は上記の連結片１０の係合と同時に行なうようにしても良い。これにより、図１０及び図１１に示すように、ドーム部１にリング状の庇３が外側に突出形成される。この場合、被覆片５と連結片１０との連設部１１には、ドーム部１の開口２の周方向に沿う切込み線１２が形成されているので、それだけ、折り曲げ易く、組立て効率が向上させられる。
【００３９】
このようにして、山高帽が組立てられてできあがる。この状態では、各被覆片５には、その弾性により平面状に戻ろうとする力が作用するので、その復元力によりドーム部１及び庇３の形状が保持される。この場合、各連結片１０はドーム部１に対して庇３として折曲保持されているので、それだけ、ドーム開口２の剛性が高くなっており、へこみにくく、ドーム部１の形状が確実に保持される。また、剛性が高くなっているので、係合部２０及び被係合部２１が外れにくくなり、この点でも、ドーム部１の形状が確実に保持される。その結果、帽子を被ったり脱いだりする際の操作性が良くなり、使いやすさが向上させられる。
【００４０】
更に、ドーム部１においては、各被覆片５の側縁６の形状が外側に凸の弧に形成されており、各被覆片５を連結してドーム部１を形成した際、図１１に示すように、被覆片５の側縁６同士が可及的に隙間なく接合し且つ接合した接合線がドーム部１の外側に膨らんで形成されるようになるので、そのため、連続性があるとともに、接合線７がアクセントとなり、外管品質が極めて良いものになる。
【００４１】
尚、上記実施の形態において、図面上は無模様・無着色であるが、表面及び裏面のうちいずれか一方を選択して外側に露出可能になるように、表面及び裏面に互いに異なる模様や色彩を付しても良く、リバーシブルで利用することができる。また、上記実施の形態においては、係合部２０及び被係合部２１を、内向き溝２４及び外向き溝２５の組で構成したが必ずしもこれに限定されるものではなく、従来と同様、係合部を連結片１０に設けた切り込みで構成し、被係合部２１を外向き溝２５で構成しても良く、適宜変更して差支えない。また、重複する一方の重複部２２は必ずしも突出形成されなくても良い。また、上記実施の形態において、被覆片５の数は６つに限定されるものではなく、例えば、４つや５つにし、あるいは７つ以上設ける等適宜変更して差支えない。
【００４２】
尚また、上記実施の形態において、係合部２０と被係合部２１の関係が逆に構成されていても良い。
また、上記実施の形態では、各被覆片５の側縁６の形状を外側に凸の弧状に形成したが必ずしもこれに限定されるものではなく、各被覆片５の側縁６の形状を、隣接する被覆片５の側縁６同士が可及的に隙間なく接合してドーム部１を形成できるように、ドーム部１が一体に連続した状態においてドーム部１の開口２から天井部４に向けて切断した切断線に倣って形成しても良く、あるいは、被覆片５間に隙間が大きく開くように形成するなど、どのような形状に形成しても良く、適宜変更して差支えない。
【図面の簡単な説明】
【００４３】
【図１】本考案の第一実施の形態に係る組立て帽子を示す平面図である。
【図２】本考案の第一実施の形態に係る組立て帽子の要部を示す拡大図である。
【図３】本考案の第一実施の形態に係る組立て帽子の組立工程を示す斜視図である。
【図４】本考案の第一実施の形態に係る組立て帽子の組立工程を示す別の斜視図である。
【図５】本考案の第一実施の形態に係る組立て帽子の組立てられた状態を示す底面図である。
【図６】本考案の第一実施の形態に係る組立て帽子の組立てられた状態を示す斜視図である。
【図７】本考案の第二実施の形態に係る組立て帽子を示す平面図である。
【図８】本考案の第二実施の形態に係る組立て帽子の要部を示す拡大図である。
【図９】本考案の第二実施の形態に係る組立て帽子の組立工程を示す斜視図である。
【図１０】本考案の第二実施の形態に係る組立て帽子の組立てられた状態を示す底面図である。
【図１１】本考案の第二実施の形態に係る組立て帽子の組立てられた状態を示す斜視図である。
【図１２】従来の組立て帽子の一例を示す平面図である。
【図１３】従来の組立て帽子の組立てられた状態を示す斜視図である。
【符号の説明】
【００４４】
１  ドーム部
２  開口
３  庇（ひさし）
４  天井部
５  被覆片
６  側縁
７  接合線
１０  連結片
１１  連設部
１２  切込み線
２０  係合部
２１  被係合部
２２  重複部
２４  内向き溝
２５  外向き溝
２６  丸穴
【図１】
0003114437.tif 000003
【図２】
0003114437.tif 000004
【図３】
0003114437.tif 000005
【図４】
0003114437.tif 000006
【図５】
0003114437.tif 000007
【図６】
0003114437.tif 000008
【図７】
0003114437.tif 000009
【図８】
0003114437.tif 000010
【図９】
0003114437.tif 000011
【図１０】
0003114437.tif 000012
【図１１】
0003114437.tif 000013
【図１２】
0003114437.tif 000014
【図１３】
0003114437.tif 000015